(57)【要約】      （修正有）【課題】構造が簡単且つシンプルで、加工性、組付性、経済性に優れ、緊急時に位牌と遺骨の持ち運びが簡単な仏具を提供する。【手段】台座１と、台座上に起立させた位牌２と、位牌内に収納した遺骨収納容器３とを備え、位牌を戒名２Ｂを記載した札板２Ａと、札板の下部又は上部に形成した下部穴６Ａ又は上部穴とで構成し、札板の下部を台座に形成した穴４内に嵌合して立て掛け、遺骨収納容器を遺骨を収納する筒部と、筒部の端部開口部に着脱自在に取付けた蓋とで構成し、遺骨収納容器を下部穴又は上部穴内に収納する。【選択図】図１
0003211634.tif 000002
【実用新案登録請求の範囲】
【請求項１】
台座（１）と、上記台座（１）上に起立させた位牌（２）と、上記位牌（２）内に収納した遺骨収納容器（３）とを備え、上記位牌（２）を戒名（２Ｂ）を記載した札板（２Ａ）と、上記札板（２Ａ）の下部又は上部に形成した下部穴（６Ａ）又は上部穴（６Ｂ）とで構成し、上記札板（２Ａ）の下部を上記台座（１）に形成した穴（４）内に嵌合して立て掛け、上記遺骨収納容器（３）を遺骨を収納する筒部（５）と、上記筒部（５）の端部開口部に着脱自在に取付けた蓋（６）とで構成し、当該遺骨収納容器（３）を上記下部穴（６Ａ）又上部穴（６Ｂ）内に収納したことを特徴とする仏具。
【請求項２】
上記下部穴（６Ａ）が札板（２Ａ）の下端から上方に向けて円筒状に形成され、上記上部穴（６Ｂ）が上記札板（２Ａ）の上端から下方に向けて円筒状に形成され、上記上部穴（６Ｂ）の上端開口部に栓（７）を着脱自在に取付けている請求項１に記載の仏具。
【請求項３】
支持台（１０）と、上記支持台（１０）の背部に起立して家紋、寺紋、故人が作成した絵、個人の写真または経歴等を表示したパネル（１１）と、上記支持台（１０）上に立て掛けた請求項１に記載の仏具（Ａ１）又は（Ａ２）と、同じく上記支持台（１０）上に上記仏具（Ａ１）又は（Ａ２）に近接してそれぞれ立て掛けた線香竪（Ｂ）、ロウソク竪（Ｃ）及び花瓶（Ｄ）とを備えた仏壇。
【考案の詳細な説明】
【技術分野】
【０００１】
本考案は、位牌と位牌内に遺骨を収納した容器を組み込んだ仏具に関するものである。
【背景技術】
【０００２】
一般に、家庭用の仏壇等の仏具は、戒名を記載した札板からなる一つ又は複数の位牌をロウソク竪、線香竪、花瓶等と共に祭壇に立て掛けて故人を偲び、また、祖先の霊を祭っているのが普通である。
【０００３】
しかしながら、位牌には戒名が記載されているだけであり、死亡して間もない故人の遺骨は墓場に収納されているため故人を身近に感じて忍ぶことが難しい場合がある。
【０００４】
この為、最近は、位牌と一緒に故人の遺骨を収納した仏壇等の仏具が家庭でも使用されるようになり、例えば特許文献１や、特許文献２に示す仏具が開発されている。
【０００５】
特許文献１に示す仏具は、台座と、この台座の上に起立させた戒名を記載した札板とで位牌を成形し、更に台座と札板との間に遺骨を収納した遺骨用容器を組み込み、両者をマグネットと、嵌合凹部に挿入する嵌合凸部からなる連結部材とを介して結合させたものである。
【０００６】
同じく、特許文献２に示す仏具は、台座と、台座上にこの台座の差込口に差し込んで起立した戒名札板とで位牌を成形し、更に、台座に形成した引き出し収納室膣に遺骨を収納した納骨容器を入れた引き出しを挿入したものである。
【先行技術文献】
【特許文献】
【０００７】
特許文献１（特開２０１２−２１３５３８号公報  図２、段落１６、要約参照）  
特許文献２（特開２００５−１４３６６６号公報  図２、段落００２５、要約参照）
【考案の概要】
【考案が解決しようとする課題】
【０００８】
しかしながら、上記特許文献１、特許文献２に開示されている仏具は機能上特に欠陥があるわけでないが、次のような不具合の改善が望まれている。
【０００９】
即ち、特許文献１に示す仏具は札板下面と台座上面との間にそれぞれマグネットを設け、また両者の間に嵌合孔と嵌合凸部とをそれぞれ設け、これらの連結部材を介して札板と台座とを結合しているので連結部材の構造が複雑であり、また、札板を台座に着脱させる操作が面倒であり、その結果加工性、組付性、操作性、経済性に不利である。
同じく、特許文献２に示す仏具は、台座に引き出し収納膣を設け、この収納膣に挿入させる引き出しを設ける必要があるので構造が大型で複雑となり、加工性、組付性、経済性に不利であり、火災等の緊急時における持ち運びも不便である。
【００１０】
そこで、本考案は、構造が簡単且つシンプルで、加工性、組付性、経済性に優れ、緊急時に位牌と遺骨の持ち運びが簡単な仏具を提供することである。
【課題を解決するための手段】
【００１１】
上記の目的を達成する為、本考案の手段は、台座と、上記台座上に起立させた位牌と、上記位牌内に収納した遺骨収納容器とを備え、上記位牌を戒名を記載した札板と、上記札板の下部又は上部に形成した下部穴又は上部穴とで構成し、上記札板の下部を上記台座に形成した穴内に嵌合して立て掛け、上記遺骨収納容器を遺骨を収納する筒部と、上記筒部の端部開口部に着脱自在に取付けた蓋とで構成し、当該遺骨収納容器を上記下部穴又上部穴内に収納したことを特徴とするものである。
【考案の効果】
【００１２】
各請求項の考案によれば、次の特有の効果を達成できる。
Ａ）本考案の仏具は、台座と、台座に形成した穴に挿入して起立した位牌と、位牌内に収容した遺骨収納容器のみで構成しているので、構造が簡単で、シンプルであり、加工性に優れている。
Ｂ）同じく、位牌は台座に形成した穴内に嵌合して立て掛けただけであり、遺骨収納容器も位牌に形成した下部穴又は上部穴内に収容しているだけであるから、位牌の台座に対する取付け構造簡単であり、遺骨収納容器の位牌に対する収納構造も簡単であり、それぞれ複雑な機械的結合構造が不要となり、加工性、組付性、経済性に優れている。
Ｃ）遺骨収納容器は予め位牌の中に組み込まれており、位牌は台座に形成した穴内に嵌合させているだけであるから、位牌を火災等の緊急時にこの穴から抜いて簡単に外部に持ち運びでき、同時に遺骨収納容器も位牌と一緒に持ち運びできる。
Ｄ）同様に、家族が長期間の外出、旅行時にも位牌を台座から抜き出し、遺骨収納容器を収容したまま位牌を巾着等に収容して帯同することにより常に故人を身近に感じながら忍ぶことができる。
【図面の簡単な説明】
【００１３】
【図１】本考案の一実施の形態に係る仏具の斜視図である。
【図２】図１に示す仏具の縦断正面図である。
【図３】図１に示す仏具を立て掛けた仏壇の斜視図である。
【図４】他の実施の形態に係る仏具の斜視図である。
【図５】図４に示す仏具の縦断正面図である。
【考案を実施するための形態】
【００１４】
以下本考案の実施の形態を図に基づいて説明する。
【００１５】
図１、図２は本考案の一実施の形態に係る仏具Ａ１を示し、図３はこの仏具Ａ１を設けた仏壇を示している。
【００１６】
図４、図５は本考案の他の実施の形態に係る仏具Ａ２を示している。
【００１７】
図１、図２の仏具Ａ１は位牌２の下部の穴６Ａ内に遺骨収納容器３を収容したタイプであり、図４、図５の仏具Ａ２は位牌２の上部の穴６Ｂ内に遺骨収納容器３を収容したタイプである。
【００１８】
以下詳細に説明する。
【００１９】
図１、図２の実施の形態に係る仏具Ａ１は台座１と、台座１上に起立させた位牌２と、位牌２の下部穴６Ａ内に収納した遺骨収納容器３とを備えている。
【００２０】
上記位牌２は戒名２Ｂを記載した平面５角形状の札板２Ａと、札板２Ａの下部に形成した下部穴６Ａとで構成し、札板２Ａの下部を上記台座１に形成した穴４内に嵌合して立て掛けている。
【００２１】
遺骨収納容器３は図２に示すように遺骨を収納する筒部５と、筒部５の端部開口部に着脱自在に取付けた蓋６とで構成し、当該遺骨収納容器３を上記下部穴６Ａ内に収納したものである。
【００２２】
上記下部穴６Ａは札板２Ａの下端から上方に向けて円筒状に形成されている。
【００２３】
この場合、上記蓋６は一つでも良いが、図２に示すように、筒部５の上端開口部に着脱自在に嵌合させた中蓋６ａと、中蓋６ａの上方から上記筒部５の上部に着脱自在に取付けた上蓋６ｂとで構成している。
【００２４】
上記蓋６の取付け構造は図示のものに限らず、要は、筒部５の上端開口部を塞ぐようになっていれば良い。
【００２５】
上記筒部５と蓋６は金属、合成樹脂、非鉄金属等の材料で成形されるが、特に上記中蓋６ａはコルク、木材で成形するのが好ましい。
【００２６】
筒部５と蓋６を上記の材料で成形することにより仏具Ａ１の落下、転倒等の事故があった時でもその破損を防止でき、遺骨の拡散も防止できる。
【００２７】
台座１は矩形でも、円形でも、楕円状に成形しても良い。
【００２８】
位牌２は公知のように戒名を記載した札板２から構成されているが、形状は図示のものに限らず、他の立方体形状でも良い。
【００２９】
台座１には平面５角形状の穴４が形成され、上記位牌１の下部をこの穴４内に嵌合して立て掛けている。
【００３０】
上記の仏具Ａ１は単独で家庭の部屋の棚や床の間の上に置いても良いが、図３に示す簡易式の仏壇の一部として使用しても良い。
【００３１】
この仏壇は、支持台１０と、支持台１０の背部に起立して家紋、寺紋、個人が作成した絵又は故人の写真や経歴等を表示したパネル１１と、支持台１０上に立て掛けた上記の仏具Ａ１と、同じく上記支持台１０上に仏具Ａ１に近接してそれぞれ立て掛けた線香竪Ｂ、ロウソク竪Ｃ及び花瓶Ｄとを備えたものである。
【００３２】
この簡易式の仏壇は支持台１０上に仏具Ａ１等を立て掛けるだけであるから高価で大掛かりな仏壇が不要であり、設置スペースが小さい場所に置くのに適し、加工性、組付性、経済性に優れている。
【００３３】
次に図４、図５の他の実施の形態に係る仏具Ａ２について説明する。
【００３４】
この仏具Ａ２は、台座１と、台座１上に起立させた位牌２と、位牌２内に収納した遺骨収納容器３とを備えている。
【００３５】
上記位牌２は戒名２Ｂを記載した札板２Ａと、札板２Ａの上部に形成した上部穴６Ｂとで構成している。
【００３６】
また、上記札板２Ａの下部を上記台座１に形成した穴４内に嵌合して立て掛けている。
【００３７】
上記遺骨収納容器３は遺骨を収納する筒部５、筒部５の端部開口部に着脱自在に取付けた蓋６とで構成し、当該遺骨収納容器３を上記穴６Ｂ内に収納したものである。
【００３８】
上記上部穴６Ｂは札板２Ａの上端から下方に向けて円筒状に形成され、上部穴６Ｂの上端開口部に栓７を着脱自在に螺子結合させている。
【００３９】
その他の構成は図１、図２の実施の形態と同じである。
【００４０】
また、この仏具Ａ２も図３に示す仏壇に使用可能である。
【００４１】
以上のように、本考案の単一の仏具Ａ１、又はＡ２は、台座１と、台座１に形成した穴４に挿入して起立した位牌２と、位牌２内に収容した遺骨収納容器３のみで構成しているので、構造が簡単で、シンプルであり、加工性に優れている。
【００４２】
同じく、位牌２は台座１に形成した穴４内に嵌合して立て掛けただけであり、遺骨収納容器３も位牌２に形成した下部穴６Ａ又６Ｂ内に収容しているだけであるから、位牌２の台座１に対する取付け構造簡単であり、遺骨収納容器３の位牌２に対する収納構造も簡単であり、それぞれ複雑な機械的結合構造が不要となり、加工性、組付性、経済性に優れている。
【００４３】
遺骨収納容器３は予め位牌の中に組み込まれており、位牌２は台座１に形成した穴４に嵌合させているだけであるか、位牌２を火災等の緊急時にこの穴４から抜いて簡単に外部に持ち運びでき、同時に遺骨収納容器３も位牌２と一緒に持ち運びできる。
【００４４】
同様に、家族が長期間の外出、旅行時にも位牌を台座から抜き出し、遺骨収納容器を収容したまま位牌を巾着等に収容して帯同することにより常に故人を身近に感じながら忍ぶことができる。
【符号の説明】
【００４５】
１  台座
２  位牌
３  遺骨収納容器
４  穴
６  蓋
１０  支持台
１１  パネル
Ａ１、Ａ２  仏具
Ｂ  線香竪
Ｃ  ロウソク竪
Ｄ  花瓶
【図１】
0003211634.tif 000003
【図２】
0003211634.tif 000004
【図３】
0003211634.tif 000005
【図４】
0003211634.tif 000006
【図５】
0003211634.tif 000007